(57)【要約】【課題】嫌気槽のスカムが好気槽に移送されにくく、ディスポーザから流入するような処理負荷が高い被処理水でも適切に浄化処理し易い浄化槽を提供する。【解決手段】被処理水が外部から流入する嫌気槽Ａと、嫌気槽で処理された被処理水を処理する好気槽Ｂと、好気槽で処理された被処理水中の固形分を沈殿させる沈殿槽Ｃとを備え、沈殿槽の被処理水を外部に排出可能に構成し、嫌気槽を、被処理水が外部から流入する固液分離槽Ａ１と、固液分離槽で分離された被処理水がオーバーフローで移流する流量調整槽Ａ２とで構成し、流量調整槽の被処理水を好気槽に移送するポンプ１３と、好気槽の被処理水を沈殿槽にオーバーフローで移流させる移流口２２と、沈殿槽で沈殿させた固形分を嫌気槽に返送する返送手段２５とを設け、沈殿槽の底面形状を、沈殿槽内部の水平方向に沿う横断面積が下部ほど小さくなる下窄まり形状に形成してある。【選択図】図１
2007117908.tif 000002
【特許請求の範囲】
【請求項１】
被処理水が外部から流入する嫌気槽と、前記嫌気槽で嫌気処理された被処理水を好気処理する好気槽と、前記好気槽で好気処理された被処理水中の固形分を沈殿させる沈殿槽とを備え、
前記沈殿槽の被処理水を外部に排出可能に構成してある浄化槽であって、
前記嫌気槽を、被処理水が外部から流入する固液分離槽と、通常運転状態において、前記固液分離槽で固液分離された被処理水がオーバーフローで移流する流量調整槽とで構成し、
前記流量調整槽の被処理水を前記好気槽に移送するポンプと、前記好気槽の被処理水を前記沈殿槽にオーバーフローで移流させる移流口と、前記沈殿槽で沈殿させた固形分を前記嫌気槽に返送する返送手段とを設け、
前記沈殿槽の底面形状を、沈殿槽内部の水平方向に沿う横断面積が下部ほど小さくなる下窄まり形状に形成してある浄化槽。
【請求項２】
前記固液分離槽内の被処理水の流動方向を下向きに規制する下向き規制流路と、前記固液分離槽内の被処理水の流動方向を上向きに規制する上向き規制流路とを、前記固液分離槽の径方向で互いに対向する槽壁部分に沿わせて各別に設けて、外部からの被処理水が前記下向き規制流路を通して前記固液分離槽に流入可能、かつ、前記固液分離槽の被処理水が前記上向き規制流路を通してオーバーフローで前記流量調整槽に移流可能に構成し、
前記固形分を前記下向き規制流路から前記固液分離槽に返送可能に構成してある請求項１記載の浄化槽。
【発明の詳細な説明】
【技術分野】
【０００１】
本発明は、被処理水が外部から流入する嫌気槽と、前記嫌気槽で嫌気処理された被処理水を好気処理する好気槽と、前記好気槽で好気処理された被処理水中の固形分を沈殿させる沈殿槽とを備え、前記沈殿槽の被処理水を外部に排出可能に構成してある浄化槽に関する。
【背景技術】
【０００２】
上記浄化槽では、従来、嫌気槽を、被処理水が外部から流入する夾雑物除去槽と、嫌気濾床槽とに仕切り壁で仕切り、夾雑物除去槽と嫌気濾床槽とを連通する流入口を、通常運転状態における液面の昇降高さ位置に合わせた上下幅で、その仕切り壁に設けて、通常運転状態において、夾雑物除去槽への被処理水の流入量に応じて、夾雑物除去槽の液面と嫌気濾床槽の液面とが、流入口を通して連続している状態で、同じレベルで昇降するように構成し、嫌気濾床槽の被処理水をポンプで好気槽に移送するように構成してある。
また、好気槽で好気処理された被処理水を、好気槽と沈殿槽とを区画している吊り壁の下端と槽底との間の流入口から沈殿槽の下部に流入させて、沈殿槽の被処理水を外部に排出可能に構成してある（例えば、特許文献１参照）。
【０００３】
【特許文献１】特開平８−２４８８０号公報
【発明の開示】
【発明が解決しようとする課題】
【０００４】
従来の浄化槽は、上記のように、通常運転状態において、夾雑物除去槽への被処理水の流入量に応じて、夾雑物除去槽の液面と嫌気濾床槽の液面とが、流入口を通して連続している状態で、同じレベルで昇降するように構成し、嫌気濾床槽の被処理水をポンプで好気槽に移送するように構成してあるので、夾雑物除去槽と嫌気濾床槽との全体が、実質的に流量調整槽として機能しており、夾雑物除去槽の被処理水に浮遊しているスカムが流入口を通して嫌気濾床槽に流入して、被処理水とともに好気槽に移送され易い欠点がある。
また、ディスポーザから流入する被処理水のように、固形分が比較的多くて処理負荷が高い被処理水が夾雑物除去槽に大量に流入すると、その固形分の多い被処理水が流入口を通して嫌気濾床槽に流入してポンプで好気槽に移送され、その好気槽から沈殿槽に槽底部から流入し、それらの固形分が、沈殿槽における被処理水の槽底部から上部へ向かう上昇流に乗って、充分に沈殿させることができないまま、被処理水と共に外部に排出され易い欠点がある。
本発明は上記実情に鑑みてなされたものであって、嫌気槽のスカムが好気槽に移送されにくく、ディスポーザから流入するような処理負荷が高い被処理水でも適切に浄化処理し易い浄化槽を提供することを目的とする。
【課題を解決するための手段】
【０００５】
本発明の第１特徴構成は、被処理水が外部から流入する嫌気槽と、前記嫌気槽で嫌気処理された被処理水を好気処理する好気槽と、前記好気槽で好気処理された被処理水中の固形分を沈殿させる沈殿槽とを備え、前記沈殿槽の被処理水を外部に排出可能に構成してある浄化槽であって、前記嫌気槽を、被処理水が外部から流入する固液分離槽と、通常運転状態において、前記固液分離槽で固液分離された被処理水がオーバーフローで移流する流量調整槽とで構成し、前記流量調整槽の被処理水を前記好気槽に移送するポンプと、前記好気槽の被処理水を前記沈殿槽にオーバーフローで移流させる移流口と、前記沈殿槽で沈殿させた固形分を前記嫌気槽に返送する返送手段とを設け、前記沈殿槽の底面形状を、沈殿槽内部の水平方向に沿う横断面積が下部ほど小さくなる下窄まり形状に形成してある点にある。
【０００６】
〔作用及び効果〕
嫌気槽を、被処理水が外部から流入する固液分離槽と、通常運転状態において、固液分離槽で固液分離された被処理水がオーバーフローで移流する流量調整槽とで構成してあるので、固液分離槽の被処理水が流量調整槽にオーバーフローで穏やかに流入し、固液分離槽の被処理水に浮遊しているスカムが流量調整槽に流入しにくいとともに、ディスポーザから流入する被処理水のような、固形分が比較的多くて処理負荷が高い被処理水が固液分離槽に流入しても、充分時間を掛けて固液分離させ易く、固形分も流量調整槽に流入しにくい。
また、流量調整槽の被処理水を好気槽に移送するポンプを設けてあるので、スカムや固形分の流入が少ない被処理水を好気槽に移送して好気処理できるとともに、好気槽の被処理水を沈殿槽にオーバーフローで移流させる移流口を設けてあるので、好気槽で好気処理した被処理水中の固形分を、沈殿槽における被処理水の移流口から槽底部に向かう下降流に乗せて、効率良く沈殿させ易く、その沈殿槽で沈殿させた固形分を嫌気槽に返送する返送手段を設けてあるので、その固形分を嫌気槽で再度嫌気処理することができる。
その上、沈殿槽の底面形状を、沈殿槽内部の水平方向に沿う横断面積が下部ほど小さくなる下窄まり形状に形成してあるので、沈殿した固形分を沈殿槽の底部に堆積させ易く、返送手段によって嫌気槽に効率良く返送できる。
従って、嫌気槽のスカムが好気槽に移送されにくいとともに、固形分が比較的多くて処理負荷が高い被処理水が固液分離槽に短時間の間に大量に流入した結果、それらの固形分が、万一、流量調整槽と好気槽とを経て、沈殿槽に流入しても、それらの固形分を沈殿槽の底部に効率良く堆積させて嫌気槽に返送し易く、処理負荷が高い被処理水でも、固形分が外部に排出されないように適切に浄化処理し易い。
【０００７】
本発明の第２特徴構成は、前記固液分離槽内の被処理水の流動方向を下向きに規制する下向き規制流路と、前記固液分離槽内の被処理水の流動方向を上向きに規制する上向き規制流路とを、前記固液分離槽の径方向で互いに対向する槽壁部分に沿わせて各別に設けて、外部からの被処理水が前記下向き規制流路を通して前記固液分離槽に流入可能、かつ、前記固液分離槽の被処理水が前記上向き規制流路を通してオーバーフローで前記流量調整槽に移流可能に構成し、前記固形分を前記下向き規制流路から前記固液分離槽に返送可能に構成してある点にある。
【０００８】
〔作用及び効果〕
固液分離槽内の被処理水の流動方向を下向きに規制する下向き規制流路と、固液分離槽内の被処理水の流動方向を上向きに規制する上向き規制流路とを、固液分離槽の径方向で互いに対向する槽壁部分に沿わせて各別に設けて、外部からの被処理水が下向き規制流路を通して固液分離槽に流入可能、かつ、固液分離槽の被処理水が上向き規制流路を通してオーバーフローで流量調整槽に移流可能に構成してあるので、外部からの被処理水を、下向き規制流路の出口から上向き規制流路の入り口に移動するまでの間、流入済みの被処理水に強制的に混合させる状態で、固液分離槽内において長時間に亘って滞留させて、充分に固液分離させた被処理水を流量調整槽に移流させ易い。
また、沈殿槽で沈殿させた固形分を下向き規制流路から固液分離槽に返送可能に構成してあるので、それらの固形分を、固液分離槽内において長時間に亘って滞留させて、効率良く固液分離することができる。
【発明を実施するための最良の形態】
【０００９】
以下に本発明の実施の形態を図面に基づいて説明する。
図１〜図４は、生活排水（汚水）を被処理水として浄化処理するための本発明による浄化槽を示し、図１，図２に示すように、マンホール１などを備えた槽本体２に、流入口としての流入管３を通して被処理水が外部から流入する嫌気槽Ａと、嫌気槽Ａで嫌気処理された被処理水を好気処理する好気槽Ｂと、好気槽Ｂで好気処理された被処理水中の固形分を沈殿させる沈殿槽Ｃと、沈殿槽Ｃを通過した被処理水を消毒処理する消毒槽Ｄとを区画形成し、沈殿槽Ｃで固形分を沈殿させた被処理水を、消毒槽Ｄを介して、放流口としての流出管４から外部に排出可能に構成してある。
【００１０】
前記嫌気槽Ａは、その内側を第１仕切り壁５で仕切って、被処理水が流入管３を通して外部から流入する固液分離槽Ａ１と、通常運転状態において、固液分離槽Ａ１で固液分離された被処理水が第１仕切り壁５の上部に形成してある第１移流口６からオーバーフローで移流する流量調整槽Ａ２とで構成してある。
【００１１】
前記固液分離槽Ａ１は、固液分離槽内に流入する被処理水の流動方向を下向きに規制する下向き規制流路７と、固液分離槽内から流出する被処理水の流動方向を上向きに規制する上向き規制流路８とを、固液分離槽Ａ１の径方向で互いに対向する槽壁部分２ａ，５ａに沿わせて各別に設けて、外部からの被処理水が流入管３から下向き規制流路７を通して固液分離槽Ａ１に流入可能、かつ、固液分離槽Ａ１の被処理水が上向き規制流路８を通して第１移流口６からオーバーフローで流量調整槽Ａ２に移流可能に構成してある。
【００１２】
前記下向き規制流路７は、水平断面形状が略コの字状の第１バッフル９を、その上端部分で流入管３の出口側を取り囲む状態で、通常運転状態における流量調整槽Ａ２の最高液面高さHWL よりも高い位置と、最低液面高さLWL と略同じ高さ位置とに亘って、槽本体２における槽壁部分２ａの内側に設けて、その内側に形成してある。
【００１３】
前記上向き規制流路８は、水平断面形状が略コの字状の第２バッフル１０を、その上端部分で第１移流口６を取り囲む状態で、通常運転状態における流量調整槽Ａ２の最高液面高さHWL よりも高い位置と、最低液面高さLWL よりも低い位置とに亘って、第１仕切り壁５における槽壁部分５ａの固液分離槽側に設けて、その内側に形成してある。
【００１４】
前記流量調整槽Ａ２は、図３にも示すように、被処理水中に含まれる溶解性有機物質を嫌気性濾床１１の濾材に付着生息している嫌気性微生物によって分解処理する嫌気性濾床槽で構成してあり、流量調整槽Ａ２の被処理水を略一定流量で、配管１２を通して好気槽Ｂに移送する定容量式の第１エアリフトポンプ１３と、嫌気性濾床１１の逆洗管１４とを設けてある。
【００１５】
前記第１エアリフトポンプ１３は、嫌気槽Ａと好気槽Ｂとを仕切る第２仕切り壁１５の嫌気槽側に、水平断面形状が略コの字状の第３バッフル１６を、通常運転状態における流量調整槽Ａ２の最高液面高さHWL よりも高い位置と、嫌気性濾床１１の下面と略同じ高さ位置とに亘って設けて、その内側に設置してある。
【００１６】
前記好気槽Ｂは、槽内に流動状態で充填してあるポリエチレン樹脂やポリプロピレン樹脂，ポリウレタン樹脂等の樹脂製の担体を、ばっ気用散気管１７から吹き込んだ空気でばっ気攪拌することにより、担体の表面に付着生成している生物膜と被処理水とを繰り返し接触させて、被処理水中の有機物の分解除去や窒素化合物の酸化を行う担体反応槽で構成してあり、槽底部に溜まった汚泥を槽外に引き出し可能な汚泥引き出し管２０を設けてある。
【００１７】
前記沈殿槽Ｃは、図４にも示すように、担体流出防止用の多孔板２１を設けてある第２移流口２２を、好気槽Ｂと沈殿槽Ｃとを仕切る第３仕切り壁２３の上部に形成して、好気槽Ｂの被処理水を第２移流口２２からオーバーフローで移流させるように構成してあり、その底面２４の形状を沈殿槽内部の水平方向に沿う横断面積が下部ほど小さくなる下窄まり形状に形成し、沈殿槽Ｃで沈殿させた固形分を嫌気槽Ａに返送する返送手段２５を設けてある。
【００１８】
そして、水平断面形状が略コの字状の第４バッフル２６を、第２移流口２２を取り囲む状態で、通常運転状態における流量調整槽Ａ２の最高液面高さHWL よりも高い位置と、最低液面高さLWL よりも低い位置とに亘って、第３仕切り壁２３の沈殿槽側に設けて、その内側を下向き流路２７に形成し、第２移流口２２から移流した被処理水が下向き流路２７を通って槽底部に向かって下降流動するように構成してある。
【００１９】
前記返送手段２５は、第２エアリフトポンプ２８を上下方向中間位置に備えた吸入管２９を下向き流路２７に挿通して、返送路１８を形成している返送管１９に連通接続するとともに、その吸入口３０を槽底近くに開口させて、下窄まり形状の槽底に沈殿させた固形分を、第２エアリフトポンプ２８の作動で、返送路１８を通して、固液分離槽Ａ１の下向き規制流路７から嫌気槽Ａに返送できるように構成してある。
【００２０】
前記消毒槽Ｄは、沈殿槽Ｃと消毒槽Ｄとを仕切る第４仕切り壁３１に第３移流口３２を形成して、沈殿槽Ｃの被処理水を第３移流口３２からオーバーフローで移流させるように構成してあり、薬剤筒３３の塩素系消毒剤で被処理水を消毒した後、流出管４を通して外部に放流できるように構成してある。
【００２１】
〔その他の実施形態〕
１．本発明による浄化槽は、好気槽の被処理水を、必要に応じて適宜の処理を行うための処理槽を経由して、沈殿槽にオーバーフローで移流させるように設けてあっても良い。
２．本発明による浄化槽は、沈殿槽の被処理水を、必要に応じて適宜の処理を行うための処理槽を経由して、消毒槽から外部に排出可能に構成してあっても良い。
【図面の簡単な説明】
【００２２】
【図１】浄化槽の縦断面図
【図２】浄化槽の内部を示す平面図
【図３】図２におけるIII-III線矢視横断面図
【図４】図２におけるIV-IV線矢視横断面図
【符号の説明】
【００２３】
２ａ  槽壁部分
５ａ  槽壁部分
７  下向き規制流路
８  上向き規制流路
１３  ポンプ
２２  移流口
２５  返送手段
Ａ  嫌気槽
Ａ１  固液分離槽
Ａ２  流量調整槽
Ｂ  好気槽
Ｃ  沈殿槽
【図１】
2007117908.tif 000003
【図２】
2007117908.tif 000004
【図３】
2007117908.tif 000005
【図４】
2007117908.tif 000006